(57)【要約】【課題】蓄電装置付き電気車において、蓄電装置へブレーキ電力の蓄積することよってブレーキ力を確保すること、蓄積された電力の再利用を電力の調整手段を設けることなく、かつ蓄積と再利用の過程で室内灯、冷暖房装置動作に影響を与えることなく可能とすること。【解決手段】力行時は、開閉器５と７を閉じ、補助電源装置３と電気車駆動装置４を集電装置１へ接続し、電車線から補助電源装置３と電気車駆動装置４へ電力を供給して電気車を動作させる。ブレーキ時は、開閉器７を開き、開閉器５と６を閉じ、集電装置１と補助電源装置３、及び蓄電装置２と電気車駆動装置４を接続し、補助電源装置と電車線に影響を与えることなく電気車駆動装置４の発生電力を蓄電装置２へ蓄積して電気ブレーキ力を確保する。蓄電装置２に蓄積された電力を再利用する場合は、開閉器７を開き、開閉器５と６を閉じ、補助電源装置の動作に影響を与えず電力を電気車駆動装置４へ供給する。【選択図】図１
2013013264.tif 000002
【特許請求の範囲】
【請求項１】
集電装置、蓄電装置、補助電源装置、電気車駆動装置を備える電気車において、
該集電装置に直列に接続された第１の開閉器と、該第１の開閉器を介して前記集電装置に接続された該補助電源装置と、該蓄電装置に直列に接続された第２の開閉器と、該第２の開閉器を介して前記蓄電装置に接続された該電気車駆動装置と、前記第１の開閉器と前記補助電源装置との接続点と前記第２の開閉器と前記電気車駆動装置との接続点の間を接続する第３の開閉器によって構成されることを特徴とする電気車の回路方式。
【請求項２】
請求項１において、前記第１の開閉器と前記第２の開閉器と前記第３の開閉器の全てをまたは何れかを、遮断器としたことを特徴とする電気車の回路方式。
【請求項３】
請求項２において、前記第１の開閉器と前記第２の開閉器の両方をまたは何れかを、直列に接続した遮断器と開閉器としたことを特徴とする電気車の回路方式。
【発明の詳細な説明】
【技術分野】
【０００１】
本発明は、電車線からの電力の供給を受けて走行する電気車において、蓄電装置を備えることで、駆動用電動機がブレーキ時に発生する電力を蓄電するとともに、蓄電した電力を自車で利用することを可能とする回路方式に関するものである。
【背景技術】
【０００２】
電気車では、ブレーキ時に駆動用電動機によって発電される電力を電車線へ回生することが可能な駆動制御装置を使用して、電車線を通じて同一電源系統内に存在する他の電気車へ発電した電力を供給して消費することでブレーキ力を得る、電力回生ブレーキが行われている。しかし、電力回生ブレーキには、ブレーキ時に電力を消費する他の電気車が存在しない場合や、他の電気車が電力を消費できない状態にある場合はブレーキ力を得ることができないという欠点があった。
【０００３】
この欠点を補うために、抵抗器とその抵抗器に流れる電流を制御する手段を設けて他の電気車両で消費できない電力を抵抗器で消費する方式が考案されている。しかし、この方式では、抵抗器で消費された電力は熱として放散されて、再利用することができないという欠点がある。
【０００４】
上記方式の他に、蓄電装置を接続して他の電気車で消費できない電力を蓄積し、蓄積された電力を自車で再利用する方式が考案されている。ここで、蓄積された電力を自車へ供給する方法として、電車線からの電力の供給を停止して蓄電装置からのみ電力を供給する方法と、電車線と蓄電装置の双方から同時に電力を供給する方法があるが、前者では電力供給源切替えの際に電力供給が一旦中断して室内灯や冷暖房装置が停止するため、電力供給源切替え後にこれらの再起動させることが必要になるという問題点がある。また、後者では電車線と蓄電装置との供給電力を調整する手段が必要になるという問題点がある。
【先行技術文献】
【特許文献】
【０００５】
【特許文献１】特開２００１−１８６７７５公報
【発明の概要】
【発明が解決しようとする課題】
【０００６】
解決しようとする課題は、蓄電装置を備えた電気車において、蓄電装置へブレーキ電力の蓄積することよってブレーキ力を確保することと蓄積された電力の再利用を、電力の調整手段を設けることなく、かつ蓄積と再利用の過程で室内灯や冷暖房装置の動作に影響を与えることなく可能とすることである。
【課題を解決するための手段】
【０００７】
上記課題を解決するために、請求項１の発明によれば、集電装置、蓄電装置、補助電源装置、電気車駆動装置を備える電気車において、  該集電装置に直列に接続された第１の開閉器と、該第１の開閉器を介して前記集電装置に接続された該補助電源装置と、該蓄電装置に直列に接続された第２の開閉器と、該第２の開閉器を介して前記蓄電装置に接続された該電気車駆動装置と、前記第１の開閉器と前記補助電源装置との接続点と前記第２の開閉器と前記電気車駆動装置との接続点の間を接続する第３の開閉器によって構成されることを特徴とする。
【０００８】
請求項２の発明によれば、請求項１記載において、前記第１の開閉器と前記第２の開閉器と前記第３の開閉器の全てをまたは何れかを、遮断器としたことを特徴とする。
【０００９】
請求項３の発明によれば、請求項１記載において、前記第１の開閉器と前記第２の開閉器の両方をまたは何れかを、直列に接続した遮断器と開閉器としたことを特徴とする。
【発明の効果】
【００１０】
本発明には以下の利点がある。
（１）電車線に接続する集電装置と補助電源装置の間を第１の開閉器を介して接続し、蓄電装置と電気車駆動装置の間を第２の開閉器を介して接続し、かつ第１の開閉器と補助電源装置との接続点と第２の開閉器と電気車駆動装置の接続点との間を第３の開閉器を介して接続することにより、第１の開閉器と第２の開閉器を閉じて第３の開閉器を開くことで、蓄電装置と電気車駆動装置は電車線と補助電源装置へ影響を与えることなく電力の授受が可能となる。
（２）上記構成で、第１の開閉器と第３の開閉器を閉じて第２の開閉器を開くことで、電車線の電力で補助電源装置と電気車駆動装置が動作する電気車として使用することができる。
（３）上記構成で、第２の開閉器と第３の開閉器を閉じて第１の開閉器を開くことで、蓄電装置の電力で補助電源装置と電気車駆動装置が動作する電気車として使用することができる。
【図面の簡単な説明】
【００１１】
【図１】本発明を実施した電気車の構成例を示す図である。
【図２】電気車駆動装置の発生電力を蓄電装置へ蓄積する場合と、蓄積された電力を        再利用する場合の回路構成図である。（実施例１）
【図３】電車線の電力によって動作する電気車として使用する場合の回路構成図であ        る。（実施例２）
【図４】蓄電装置の電力によって動作する電気車として使用する場合の回路構成図で        ある。（実施例３）
【発明を実施するための形態】
【００１２】
図１（ａ）は本発明を適用した主回路構成、同図（ｂ）は直流電池で構成される蓄電装置の構成例、同図（c）はインバータ装置等から構成される補助電源装置の構成例、及び同図（ｄ）はインバータ装置と駆動用電動機等から構成される電気車駆動装置の構成例である。図１（ａ）において、集電装置１に直列に開閉器５と補助電源装置３が接続される。また蓄電装置２には開閉器６と電気車駆動装置４が直列に接続される。該開閉器５と該補助電源装置３との接続線から分岐した線と、該開閉器６と該電気車駆動装置４との接続線から分岐した線が、それぞれ開閉器７へ接続されている。
【００１３】
図１（ｂ）に示す蓄電装置２は蓄電媒体となる直流２次電池２１で構成される。
図１（ｃ）に示す補助電源装置３はスイッチＳＷ１、リアクトルＬ１、コンデンサＣ１、インバータ３１ａ、フィルタ３１ｂ、及び変圧器３１ｃから構成される静止形変換装置３１と室内灯や冷暖房装置からなる負荷機器３２で構成され、静止形変換装置３１は直流の入力を交流に変換して負荷機器３２に供給する。
図１（ｄ）に示す電気車駆動装置４はスイッチＳＷ２、リアクトルＬ２、コンデンサＣ２、及びインバータ４１ａから構成される可変電圧可変周波数インバータ４１と３相誘導電動機の駆動用電動機４２で構成され、可変電圧可変周波数インバータ４１は直流を入力として駆動用電動機４２の可変速駆動用の交流を出力する。
【００１４】
本発明を適用した主回路構成での電気車の動作を説明する。電気車を加速させる際には電気車駆動装置４に直流電力を供給して駆動用電動機４２を力行運転し、電気車を減速する際には駆動用電動機４２によって走行エネルギーから変換された電力を電気車駆動装置から直流電力として取り出して消費することにより、駆動電動機４２にブレーキ力を発生させる。一方、補助電源装置３には常時直流電力を供給して、室内灯や冷暖房装置を電気車の走行状態に関係なく動作させる。
【００１５】
電気車を加速させる場合は図３に示す回路構成とし、開閉器５及び７を閉じて集電装置１によって集電した電力を補助電源装置３と電気車駆動装置４へ供給する。電気車が加速を終えた時は、開閉器７を開くと共に開閉器６を閉じて図２に示す回路構成とする。この後電気車を減速させると、電気車駆動装置４から発生する直流電力は開閉器６を通して蓄電装置２へ供給され、蓄電装置２の直流２次電池に化学エネルギーとして蓄積されることで消費される。電気車駆動装置４の発生電力が蓄電装置２に蓄積されることで、電気車駆動装置４の駆動電動機４２にはブレーキ力が発生して電気車が減速する。この動作の間、補助電源装置３と集電装置１は開閉器５で常時接続されているので、補助電源装置への電力供給が停止することはない。
【００１６】
電気車を加速させる場合は図２に示す回路構成とすることもできる。蓄電装置２に蓄積された電力を電気車駆動装置４へ供給して再利用する時はこの回路構成とする。この場合は、電気車駆動装置４は開閉器６を通して蓄電装置２から供給される電力を使用して電気車を加速させる。この時、補助電源装置３は開閉器５を通して集電装置１から電力を供給される。従って、電気車駆動装置４からの電力を蓄電装置２に蓄積してから、蓄電装置２の電力を電気車駆動装置４で再利用する間、補助電源装置３は常に集電装置１からの電力が供給されるため、室内灯や冷暖房装置は停止しない。
【００１７】
本発明の適用した電気車では図４に示す回路構成とすることもできる。この場合は、開閉器５を開いて開閉器６及び７を閉じて、蓄電装置２の電力を補助電源装置３と電気車駆動装置４へ供給する。この回路構成では、蓄電装置２の蓄積電力の容量以内で電車線を使用することなく、電気車を動作させることができる。
【００１８】
図１の構成において、第１の開閉器と第２の開閉器と第３の開閉器を必要に応じて遮断器に置き換えた構成においても本発明の目的を達成することができる。
【００１９】
また図１の構成において、第１の開閉器と第２の開閉器を必要に応じて遮断器と開閉器を直列に接続した構成に置き換えても本発明の目的を達成することはできる。
【産業上の利用可能性】
【００２０】
本発明は、蓄電装置を備えてブレーキ時の発電電力を蓄積することが可能な電気車に利用することができる。
【符号の説明】
【００２１】
１    集電装置
２    蓄電装置
３    補助電源装置
４    電気車駆動装置
５    開閉器
６    開閉器
７    開閉器
【図１】
2013013264.tif 000003
【図２】
2013013264.tif 000004
【図３】
2013013264.tif 000005
【図４】
2013013264.tif 000006